(57)【要約】【課題】電話機から遠く離れたユーザが、いずれの公衆回線から着信があったのかを視覚的に容易に判別することのできる電話機を実現する。【解決手段】Ｓ１で公衆回線Ｌ１が着信しておらず、Ｓ２で公衆回線Ｌ２が着信している場合は、表示器を赤色発光色のバックライトで点灯させ、その間、呼出音は公衆回線Ｌ２用の音色で鳴動させる。Ｓ１で公衆回線Ｌ１が着信しており、Ｓ３で公衆回線Ｌ２が着信していない場合は、表示器を緑色発光色のバックライトで点灯させ、その間、呼出音は公衆回線Ｌ１用の音色で鳴動させる。Ｓ１で公衆回線Ｌ１が着信しており、Ｓ３で公衆回線Ｌ２が着信している場合は、表示器を両バックライトにより交互に緑色と赤色とで点灯させる。その間、呼出音も、交互点灯に合わせて公衆回線Ｌ１用およびＬ２用の音色で交互に鳴動させる。【選択図】図１
2005244875.tif 000002
【特許請求の範囲】
【請求項１】
複数の公衆回線に接続可能な電話機において、
前記公衆回線からの着信時に、いずれの前記公衆回線からの着信であるかの報知を、他の前記公衆回線とは異なる色で点灯することにより行う表示部を備えていることを特徴とする電話機。
【請求項２】
前記表示部はバックライトを備え、前記バックライトの色を変化させることで前記報知を行うことを特徴とする請求項１に記載の電話機。
【請求項３】
前記複数の公衆回線は第１の回線と第２の回線との２つであり、
前記表示部は、着信時以外に点灯するときは第１の色で点灯し、前記第１の回線からの着信時には前記第１の色で点灯し、前記第２の回線からの着信時には前記第１の色とは異なる第２の色で点灯することを特徴とする請求項１または２に記載の電話機。
【請求項４】
前記表示部は、着信時以外に点灯するときは第１の色で点灯し、着信時には前記第１の色以外で点灯することを特徴とする請求項１または２に記載の電話機。
【請求項５】
前記表示部は、前記複数の公衆回線のうちの複数から同時に着信したとき、着信した公衆回線のそれぞれに対応する色で代わる代わる点灯することを特徴とする請求項１ないし４のいずれかに記載の電話機。
【請求項６】
請求項１ないし５のいずれかに記載の電話機を親機とし、前記親機と、前記親機と組み合わされる子機とを備えたことを特徴とする電話システム。
【請求項７】
複数の公衆回線に接続可能な電話機の着信報知方法において、
前記公衆回線からの着信時に、いずれの前記公衆回線からの着信であるかを前記電話機に検知させ、検知結果に基づいて、いずれの前記公衆回線からの着信であるかの報知を、前記電話機に、他の前記公衆回線とは異なる色で前記電話機の表示部を点灯させることにより行わせることを特徴とする電話機の着信報知方法。
【請求項８】
請求項７の電話機の着信報知方法を、前記電話機に備えられたコンピュータに実行させるためのプログラム。
【請求項９】
請求項８に記載のプログラムを記録したコンピュータ読み取り可能な記録媒体。
【発明の詳細な説明】
【技術分野】
【０００１】
本発明は複数の公衆回線に接続される電話機に関するものである。
【背景技術】
【０００２】
複数の公衆回線に接続される電話機が存在する。そして例えば、この電話機を親機として用いてコードレス方式で複数の子機と通信するシステムを構成し、外線の着信があると親機から所定の内線番号の子機へ転送することが行われる。親機は複数の公衆回線に接続されているため、受話器を持ち上げる前にいずれの外線からの着信であるかをユーザが判断できるように、液晶ディスプレイなどで構成される表示部に、着信があった外線の回線番号を示す文字表示を行うようにしている。
【０００３】
特許文献１には、ボタン電話装置に局線からの着信があったときは赤色、内線からの着信があったときは緑色というように、それぞれに対応して別々に設けられた選択ボタンのＬＥＤを２種類の色で区別して点滅表示させることが記載されている。また、局線からの着信があったときはレギュラーの着信信号で鳴動させ、内線からの着信があったときはＣＥＳの着信信号で鳴動させることが記載されている。
【０００４】
特許文献２には、ボタン電話装置にアナログ公衆網から着信があったときは赤色で、デジタル公衆網から着信があったときは橙色で、それぞれ対応する外線ボタンのＬＥＤを点滅表示させることが記載されている。また、着信回線がアナログ公衆網であるかデジタル公衆網であるかを、内線電話機のＬＣＤに表示させることも記載されている。
【特許文献１】特開平９−８３６４７号公報（公開日：１９９７年３月２８日）
【特許文献２】特開平２−１０８３５５号公報（公開日：１９９０年４月２０日）
【発明の開示】
【発明が解決しようとする課題】
【０００５】
複数の公衆回線に接続される電話機では、表示部に着信があった外線の回線番号を示す文字表示を行うことにより、いずれの公衆回線から着信しているのかを示すようにしているため、電話機から遠く離れた場所にいるユーザは表示部の文字表示が読み取れないという問題があった。また、たとえ着信音の違いで複数の公衆回線を区別するようにしても、着信音のボリュームが小さいと、やはり電話機から遠く離れたユーザには聞き取りにくく、ボリュームを大きくしなければならない。
【０００６】
また、特許文献１の構成では複数の局線どうしを色で区別することはできず、特許文献２の構成ではアナログ公衆網どうしおよびデジタル公衆網どうしを色で区別することはできない。
【０００７】
本発明は、上記従来の問題点に鑑みなされたものであり、その目的は、電話機から遠く離れたユーザが、いずれの公衆回線から着信があったのかを視覚的に容易に判別することのできる電話機、電話システム、および電話機の着信報知方法ならびにそのプログラム、記録媒体を実現することにある。
【課題を解決するための手段】
【０００８】
本発明の電話機は、上記課題を解決するために、複数の公衆回線に接続可能な電話機において、前記公衆回線からの着信時に、いずれの前記公衆回線からの着信であるかの報知を、他の前記公衆回線とは異なる色で点灯することにより行う表示部を備えていることを特徴としている。
【０００９】
上記の発明によれば、複数の公衆回線のいずれから着信があっても、その公衆回線に対応した色で表示部が点灯するので、ユーザは電話機から遠く離れていても、いずれの公衆回線から着信があったのかを視覚的に容易に判別することができるという効果を奏する。
【００１０】
本発明の電話機は、上記課題を解決するために、前記表示部はバックライトを備え、前記バックライトの色を変化させることで前記報知を行うことを特徴としている。
【００１１】
上記の発明によれば、表示部がバックライトの色を変化させるので、いずれの回線から着信があったのかという報知における点灯色の区別を、容易に行うことができるという効果を奏する。また、上記表示部は、文字表示を行う表示部を兼用することができ、電話機の小型化に適するという効果を奏する。
【００１２】
本発明の電話機は、上記課題を解決するために、前記複数の公衆回線は第１の回線と第２の回線との２つであり、前記表示部は、着信時以外に点灯するときは第１の色で点灯し、前記第１の回線からの着信時には前記第１の色で点灯し、前記第２の回線からの着信時には前記第１の色とは異なる第２の色で点灯することを特徴としている。
【００１３】
上記の発明によれば、表示部は第１の回線から着信があったときは第１の色で点灯するが、この色は着信時以外における表示部の点灯色でもあるので普段見慣れた色となる。一方、着信時以外には第２の色で点灯しないので、第２の色は普段見慣れない色となる。従って、第１の色が第１の回線からの着信に対応していて、第２の色が第２の回線からの着信に対応していることを、ユーザが覚えやすく、着信時に両者を即座にかつ確実に判別することができるという効果を奏する。
【００１４】
本発明の電話機は、上記課題を解決するために、前記表示部は、着信時以外に点灯するときは第１の色で点灯し、着信時には前記第１の色以外で点灯することを特徴としている。
【００１５】
上記の発明によれば、着信時以外には第１の色で点灯し、着信時にはそれ以外の色で点灯するので、着信があったことをユーザが視覚的に判断しやすく、続いていずれの公衆回線からの着信であるかの判別を行うべきであるということを認識しやすいという効果を奏する。
【００１６】
本発明の電話機は、上記課題を解決するために、前記表示部は、前記複数の公衆回線のうちの複数から同時に着信したとき、着信した公衆回線のそれぞれに対応する色で代わる代わる点灯することを特徴としている。
【００１７】
上記の発明によれば、複数の公衆回線から同時に着信したときに、ユーザは代わる代わる点灯する色を見て、複数の着信があることを認識できるとともに、どの回線からの着信であるかも分かるという効果を奏する。
【００１８】
本発明の電話システムは、上記課題を解決するために、前記電話機を親機とし、前記親機と、前記親機と組み合わされる子機とを備えたことを特徴としている。
【００１９】
上記の発明によれば、親機での着信状況を見て子機を取り上げるという使い方をするシステムにおいて、子機を取り上げる位置は親機からある程度離れていることが一般的であるため、子機を使用するユーザは、親機の表示部の点灯を見ていずれの公衆回線からの着信であるかを判別しやすく、子機での応答操作がスムーズになるという効果を奏する。また、子機は小型の装置であるので、子機の表示部を親機と同じように点灯させる構成とするのに制限が生じるような場合でも、親機側の表示部が前記点灯に対応していれば済み、好都合であるという効果を奏する。
【００２０】
本発明の電話機の着信報知方法は、上記課題を解決するために、複数の公衆回線に接続可能な電話機の着信報知方法において、前記公衆回線からの着信時に、いずれの前記公衆回線からの着信であるかを前記電話機に検知させ、検知結果に基づいて、いずれの前記公衆回線からの着信であるかの報知を、前記電話機に、他の前記公衆回線とは異なる色で前記電話機の表示部を点灯させることにより行わせることを特徴としている。
【００２１】
上記の発明によれば、複数の公衆回線のいずれから着信があっても、その公衆回線に対応した色で表示部が点灯するので、ユーザは電話機から遠く離れていても、いずれの公衆回線から着信があったのかを視覚的に容易に判別することができるという効果を奏する。
【００２２】
本発明のプログラムは、上記課題を解決するために、前記電話機の着信報知方法を、前記電話機に備えられたコンピュータに実行させるプログラムである。
【００２３】
上記の発明によれば、上記の電話機の着信報知方法を汎用性のあるものとすることができるという効果を奏する。
【００２４】
本発明の記録媒体は、上記課題を解決するために、前記プログラムを記録したコンピュータ読み取り可能な記録媒体である。
【００２５】
上記の発明によれば、上記プログラムを容易に提供することができるという効果を奏する。
【発明の効果】
【００２６】
本発明の電話機、および電話機の着信報知方法は、以上のように、複数の公衆回線からの着信時に、いずれの前記公衆回線からの着信であるかの報知を、他の前記公衆回線とは異なる色で表示部を点灯させることにより行う。
【００２７】
従って、複数の公衆回線のいずれから着信があっても、その公衆回線に対応した色で表示部が点灯するので、ユーザは電話機から遠く離れていても、いずれの公衆回線から着信があったのかを視覚的に容易に判別することができるという効果を奏する。
【発明を実施するための最良の形態】
【００２８】
本発明の実施の形態について、図１ないし図３を用いて説明すれば以下の通りである。
【００２９】
図２に本実施の形態に係る電話システム１の構成を示す。
【００３０】
電話システム１はデジタルコードレス電話システムであり、親機ＢＡＳＥと複数の子機ＨＳ１・ＨＳ２・ＨＳ３・…（任意の１つを表すときはＨＳｋと称する）とを備えている。親機ＢＡＳＥはＦＡＸ装置としても機能し、２つの公衆回線Ｌ１・Ｌ２に接続可能である。親機ＢＡＳＥは通信の管理装置としてこれら公衆回線Ｌ１・Ｌ２の制御を行うとともに、ＲＦ通信によって子機ＨＳ１・ＨＳ２・ＨＳ３・…によるデータの授受や通話を制御する。なお、公衆回線数は２つに限ることはなく、一般に複数でよい。また、子機ＨＳｋの数が任意であってよいことはもちろんである。
【００３１】
次に、図３に、上記電話システム１における親機ＢＡＳＥおよび子機ＨＳｋの各構成を示す。
【００３２】
まず、親機ＢＡＳＥの構成について説明する。
【００３３】
親機（電話機）ＢＡＳＥは、回線インタフェースユニット１１、アナログスイッチ部１２、ＦＡＸ制御部１３、アナログ制御部１４、受話器１５、表示器１６、キー１７、ベースバンド制御部１８・２０、記憶装置１９、ＲＦユニット２１、ＰＣＭバス２２、シリアルバス２３、アンテナ２４を備えている。
【００３４】
回線インタフェースユニット１１は公衆回線Ｌ１・Ｌ２の２回線用の回線インターフェースである。アナログスイッチ部１２は、受話器１４による通話あるいはＦＡＸ機能による通信を行うためにＦＡＸ制御部１３を公衆回線Ｌ１・Ｌ２のいずれに接続するかを切り替えるためのスイッチである。
【００３５】
ＦＡＸ制御部１３はＦＡＸ機能を制御し、回線制御部１３ａ、モデム１３ｂ、マンマシン・インタフェース制御部（以下、ＭＭＩ制御部と称する。）１３ｃ、シリアル通信制御部１３ｄを備えている。また、ＦＡＸ制御部１３にはアナログ制御部１４および受話器１５が接続されている。受話器１５は有線のハンドセットである。回線制御部１３ａは受話器１５および子機ＨＳｋによる通話、およびＦＡＸ機能による通信に際して回線の制御を行う。アナログ制御部１４は、公衆回線Ｌ１・Ｌ２を介した受話器１５による通話に際してアナログの音声処理を行う。モデム１３ｂは１４．４ｋｂｐｓでＦＡＸ通信を行うための変調および復調を行う。
【００３６】
ＭＭＩ制御部１３ｃは、表示器１６およびキー１７を通してユーザへの操作情報を伝達したり操作の受け付けを行ったりするための制御を行う。表示器（表示部）１６は、内部にバックライトを備えている液晶表示装置であり、通話および通信の状況を示したり、ユーザに各種操作を促したりするための各種文字情報を表示する。また、バックライトは光源に発光色の異なる２種類のＬＥＤを使用しており、これらＬＥＤのいずれを発光させるかが制御される。本実施の形態では第１の色である緑色で発光するＬＥＤと、第２の色である赤色で発光するＬＥＤとを用いる。ＬＥＤから発せられた光は導光板で表示器１６の所定箇所に行き渡る。これらＬＥＤの発光および非発光により、表示器１６は点灯および消灯する。
【００３７】
シリアル通信制御部１３ｄは、ＦＡＸ制御部１３と、後述するベースバンド制御部１８との通信を制御する。
【００３８】
２つあるベースバンド制御部１８・２０のうち、ベースバンド制御部１８はマスタ側の制御部であり、公衆回線Ｌ１を介した子機ＨＳｋによる通信のベースバンド信号を処理するための送受信回路を備えている。一方、ベースバンド制御部２０はスレーブ側の制御部であり、公衆回線Ｌ２を介した子機ＨＳｋによる通信のベースバンド信号を処理するための送受信回路を備えている。
【００３９】
ベースバンド制御部１８は、回線制御部１８ａ、アナログスイッチ制御部１８ｂ、シリアル通信制御部１８ｃ、ＲＦ制御部１８ｄを備えている。ベースバンド制御部２０は、回線制御部２０ａ、ＲＦ制御部２０ｂを備えている。
【００４０】
ベースバンド制御部１８の回線制御部１８ａは公衆回線Ｌ１による通話および通信を制御するが、子機ＨＳｋによる通話および通信を制御する他、公衆回線Ｌ１からの着信時あるいは公衆回線Ｌ１を介した発呼時にユーザが受話器１５を取り上げてオフフック状態としたことに応答して受けるＦＡＸ制御部１３からのシリアル通信に従って、また、キー１７からのユーザ入力に応答して受けるＦＡＸ制御部１３からのシリアル通信に従って、アナログスイッチ制御部１８ｂにスイッチの切り替え情報を渡す。また、通話後にユーザが受話器１５を受話器台に戻してオンフック状態としたことに応答して受けるＦＡＸ制御部１３からのシリアル通信に従って、アナログスイッチ制御部１８ｂにスイッチの切り替え情報を渡す。上記シリアル通信は、シリアル通信制御部１８ｃと、ＦＡＸ制御部１３のシリアル通信制御部１３ｄとの間でシリアルバス２４を介して行われる。アナログスイッチ制御部１８ｂは、上記回線制御部１８ａからの指示の他、ベースバンド制御部１８と２０との間のＰＣＭバス２２による通信によって回線制御部２０ａからの指示を受けて、アナログスイッチ１２のスイッチの切り替えを制御する。
【００４１】
また、回線制御部１８ａ・２０ａは、それぞれ公衆回線Ｌ１・Ｌ２からの着信を監視しており、着信があったときに、このことをシリアル通信制御部１８ｃとシリアル通信制御部１３ｄとの間のシリアル通信を用いてＦＡＸ制御部１３側に通知し、ＭＭＩ制御部１３ｃの制御によって表示器１６に着信の表示を行わせる。このとき、公衆回線Ｌ１から着信があった場合には回線制御部１８ａがこれを検知してＭＭＩ制御部１３ｃへ通知し、ＭＭＩ制御部１３ｃは検知結果に基づいて、表示器１６のバックライトに使用されている、第１の色（緑色）で発光するＬＥＤを発光させてバックライト光源とする。一方、公衆回線Ｌ２から着信があった場合には回線制御部２０ａがこれを検知してＭＭＩ制御部１３ｃへ通知し、ＭＭＩ制御部１３ｃは検知結果に基づいて、表示器１６のバックライトに使用されている、第２の色（赤色）で発光するＬＥＤを発光させてバックライト光源とする。このように、本実施の形態では、各公衆回線からの着信に対して、他の公衆回線からの着信とは異なる色で表示器１６を点灯させるようにしている。また、着信時以外では、待機状態には表示器１６を消灯させ、ユーザが発呼操作など親機ＢＡＳＥに対して何らかの操作を行うときには常に第１の色（緑色）で表示器１６を点灯させる。
【００４２】
ＲＦ制御部１８ｄは、子機ＨＳｋを用いて行う公衆回線Ｌ１を介した通話および通信、あるいは子機ＨＳｋと親機ＢＡＳＥとの通話および通信に際しての、子機ＨＳｋへの送信時におけるベースバンド信号のＡ／Ｄ変換、符号化および１次変調、子機ＨＳｋからの受信時における復調、ベースバンド信号への復号化、Ｄ／Ａ変換などを行う。また、ＲＦユニット２１は、子機ＨＳｋへの送信時における２次変調および子機ＨＳｋからの受信時における受信動作を行うために設けられ、ＲＦ制御部１８ｄ・２０ｂによって制御される。
【００４３】
記憶装置１９は例えば不揮発性ＲＡＭであり、親機ＢＡＳＥの動作を制御するプログラムを格納する記録媒体である。この他、音声データや通信データのバッファリングに用いられる記憶装置があってもよい。
【００４４】
ＲＦユニット２１によって処理される高周波信号はアンテナ２４を介して子機ＨＳｋとの間で送受信される。
【００４５】
次に、子機ＨＳｋの構成について説明する。
【００４６】
子機ＨＳｋは、アンテナ３１、ＲＦユニット３２、ベースバンド制御部３３、表示器３４、キー３５、送話マイク３６、受話スピーカ３７、背面スピーカ３８、記憶装置３９を備えている。
【００４７】
アンテナ３１は親機ＢＡＳＥのアンテナ２４との間での送受信に用いられる。ＲＦユニット３２は、親機ＢＡＳＥへの送信時における２次変調および親機ＢＡＳＥからの受信時における受信動作を行うために設けられ、ＲＦ制御部３３ａによって制御される。
【００４８】
ベースバンド制御部３３は、ＲＦ制御部３３ａ、ＭＭＩ制御部３３ｂを備えている。ＲＦ制御部３３ａは、親機ＢＡＳＥへの送信時におけるベースバンド信号のＡ／Ｄ変換、符号化および１次変調、親機ＢＡＳＥからの受信時における復調、ベースバンド信号への復号化、Ｄ／Ａ変換などを行う。
【００４９】
ＭＭＩ制御部３３ａは、表示器３４およびキー３５を通してユーザへの操作情報を伝達したり操作の受け付けを行ったりするための制御を行う。表示器３４は、内部にバックライトを備えている液晶表示装置であり、通話および通信の状況を示したり、ユーザに各種操作を促したりするための各種文字情報を表示する。また、バックライトは光源にＬＥＤを使用しており、ＬＥＤから発せられた光は導光板で表示器３４の所定箇所に行き渡る。なお、ここではＬＥＤを用いて１種類の発光色で発光するバックライトとしたが、親機ＢＡＳＥと同様に、発光色の異なる２種類のＬＥＤを使用して、着信のあった公衆回線に応じてこれらＬＥＤのいずれを発光させるかを制御するようにしてもよい。その場合には、親機ＢＡＳＥから着信のあった公衆回線の情報が伝達される。
【００５０】
また、ＭＭＩ制御部３３ａは、キー３５を通して入力された情報により、送話マイク３６、受話スピーカ３７、背面スピーカ３８の動作をも制御する。
【００５１】
記憶装置３９は、例えば不揮発性ＲＡＭであり、子機ＨＳｋの動作を制御するプログラムを格納する記録媒体である。この他、音声データや通信データのバッファリングに用いられる記憶装置があってもよい。
【００５２】
次に、上記構成の電話システム１における、公衆回線Ｌ１・Ｌ２からの着信に対する親機ＢＡＳＥの動作を、図１のフローチャートを用いて説明する。
【００５３】
親機ＢＡＳＥの回線制御部１８ａ・２０ａは、それぞれ公衆回線Ｌ１・Ｌ２からの着信を監視しているが、Ｓ１で公衆回線Ｌ１が着信しておらず、Ｓ２で公衆回線Ｌ２が着信していない場合は、親機ＢＡＳＥは（１）の「待機状態」となる。この状態では、親機ＢＡＳＥの表示器１６のバックライトは消灯しており、呼出音も鳴動しない。
【００５４】
次に、Ｓ１で公衆回線Ｌ１が着信しておらず、Ｓ２で公衆回線Ｌ２が着信している場合は、親機ＢＡＳＥは（２）の「公衆回線Ｌ２着信状態」となる。この状態は、公衆回線Ｌ２からのみ呼出の着信がある状態であるので、表示器１６のバックライトには公衆回線Ｌ２が着信していることを示すＬＥＤ、すなわち赤色で発光するＬＥＤを用いる。表示器１６は赤色で点灯し、その間、呼出音は公衆回線Ｌ２用の音色で鳴動する。
【００５５】
次に、Ｓ１で公衆回線Ｌ１が着信しており、Ｓ３で公衆回線Ｌ２が着信していない場合は、親機ＢＡＳＥは（３）の「公衆回線Ｌ１着信状態」となる。この状態は、公衆回線Ｌ１からのみ呼出の着信がある状態であるので、表示器１６のバックライトには公衆回線Ｌ１が着信していることを示すＬＥＤ、すなわち緑色で発光するＬＥＤを用いる。表示器１６は緑色で点灯し、その間、呼出音は公衆回線Ｌ１用の音色で鳴動する。
【００５６】
次に、Ｓ１で公衆回線Ｌ１が着信しており、Ｓ３で公衆回線Ｌ２が着信している場合は、親機ＢＡＳＥは（４）の「公衆回線Ｌ１・Ｌ２着信状態」となる。この状態は、公衆回線Ｌ１と公衆回線Ｌ２とから同時に呼出の着信がある状態であるので、表示器１６のバックライトには緑色で発光するＬＥＤと赤色で発光するＬＥＤとの両方を用いる。表示器１６は、一定間隔で交互に各色で点灯する。その間、呼出音も、交互点灯に合わせて公衆回線Ｌ１用およびＬ２用の音色で交互に鳴動する。
【００５７】
このように、本実施の形態に係る親機ＢＡＳＥによれば、公衆回線Ｌ１・Ｌ２という複数の公衆回線のいずれから着信があっても、その公衆回線に対応した色で表示器１６が点灯するので、ユーザは親機ＢＡＳＥから遠く離れていても、いずれの公衆回線から着信があったのかを視覚的に容易に判別することができる。
【００５８】
また、表示器１６はいずれの公衆回線から着信があったのかという報知を行うのに、バックライトの色を変化させるので、当該報知における点灯色の区別を、容易に行うことができる。また、表示器１６は、文字表示を行う表示部を兼用しているので、親機の小型化に適する。
【００５９】
また、表示器１６は公衆回線Ｌ１から着信があったときは緑色で点灯するが、この色は着信時以外における表示器１６の点灯色でもあるので普段見慣れた色となる。一方、着信時以外には赤色で点灯しないので、赤色は普段見慣れない色となる。従って、緑色が公衆回線Ｌ１からの着信に対応していて、赤色が公衆回線Ｌ２からの着信に対応していることを、ユーザが覚えやすく、着信時に両者を即座にかつ確実に判別することができる。
【００６０】
なお、表示器１６に第１の色、第２の色、第３の色、…というように３色以上のバックライトを備え、着信時以外に点灯するときは第１の色で点灯させ、着信時には第１の色以外で点灯させるようにしてもよい。このようにすれば、着信時以外には第１の色で点灯し、着信時にはそれ以外の色で点灯するので、いずれかの公衆回線からの着信があったことをユーザが視覚的に判断しやすく、続いていずれの公衆回線からの着信であるかの判別を行うべきであるということを認識しやすい。この他、両者の点灯を区別するのに点滅の有無などの表示状態変化を加えてもよい。
【００６１】
また、前述したように、表示器１６は公衆回線Ｌ１・Ｌ２から同時に着信したときに交互に各色で点灯する。このように、複数の公衆回線のうちの複数から同時に着信したとき、着信した公衆回線のそれぞれに対応する色で代わる代わる点灯するようにすれば、ユーザは代わる代わる点灯する色を見て、複数の着信があることを認識できるとともに、どの回線からの着信であるかも分かる。この他、両者の点灯を区別するのに点滅の有無などの表示状態変化を加えてもよい。
【００６２】
また、本実施の形態に係る電話システム１は、親機ＢＡＳＥと、親機ＢＡＳＥと組み合わされる子機ＨＳｋとを備えている。親機での着信状況を見て子機を取り上げるという使い方をするシステムにおいて、子機を取り上げる位置は親機からある程度離れていることが一般的であるため、子機ＨＳｋを使用するユーザにとっては、親機ＢＡＳＥの表示器１６の点灯を見ていずれの公衆回線からの着信であるかを判別しやすい方が、子機ＨＳｋでの応答操作がスムーズになる。本実施の形態の親機ＢＡＳＥはそのような判別を可能ならしめる電話機である。また、子機は小型の装置であるので、子機の表示部を親機と同じように点灯させる構成とするのに制限が生じるような場合でも、親機側の表示部が公衆回線ごとに対応した色での点灯に対応していれば済み、好都合である。
【００６３】
また、本実施の形態では表示器１６を用いて点灯色を変化させたが、電話機全体が点灯するような構成で点灯色を変化させるようにしてもよい。この場合、特に遠くのユーザにもいずれの公衆回線から着信したのかが明瞭になる。
【００６４】
また、以上に説明した親機ＢＡＳＥや子機ＨＳｋの着信報知方法は、親機ＢＡＳＥや子機ＨＳｋに備えられたコンピュータが図１の各ステップに対応するプロセスを含むプログラムを実行することによって実現できる。これにより、親機ＢＡＳＥや子機ＨＳｋの着信報知方法を汎用性のあるものとすることができる。
【００６５】
上記プログラムは、コンピュータで読み取り可能な記録媒体に格納してユーザに提供することができる。これにより、上記プログラムを容易に提供することができる。この記録媒体は、図３で説明した記憶装置１９や３９のようにコンピュータ本体に内蔵された内蔵メディアであってもよいし、コンピュータ本体に対して分離可能に構成されたリムーバブル・メディアであってもよい。上記内蔵メディアとしては、ＲＯＭ；フラッシュメモリ等の書き換え可能な不揮発性メモリ；ハードディスク等が挙げられる。また、上記リムーバブル・メディアとしては、ＣＤ−ＲＯＭ、ＤＶＤ等の光記録媒体；ＭＯ等の光磁気記録媒体；フロッピー（登録商標）ディスク、カセットテープ、リムーバブル・ハードディスク等の磁気記録媒体；メモリカード等のような書き換え可能な不揮発性メモリを内蔵したメディア；ＲＯＭカセット等のようなＲＯＭを内蔵したメディア等が挙げられる。
【００６６】
上記プログラムは、ＣＰＵのアクセスにより実行される構成であってもよいし、記録媒体に格納されているプログラムを読み出し、読み出したプログラムを内蔵メディアのプログラム記憶領域に転送した後、内蔵メディア上のプログラムがＣＰＵのアクセスにより実行される構成であってもよい。また、上記プログラムは、コンピュータで読み取り可能な記録媒体に格納された状態で販売されるものに限定されるものではなく、インターネット等の通信ネットワークを介してユーザのコンピュータに転送する形式で販売されるものであってもよい。
【産業上の利用可能性】
【００６７】
本発明は、特にコードレス電話機など親機と子機とで構成される装置に用いると好適である。
【図面の簡単な説明】
【００６８】
【図１】本発明の実施の形態を示すものであり、電話機の着信報知方法を示すフローチャートである。
【図２】本発明の実施の形態を示すものであり、電話システムの構成を示すシステム図である。
【図３】図２に示す電話システムの親機および子機の構成を示すブロック図である。
【符号の説明】
【００６９】
１            電話システム
１６、３４    表示器（表示部）
１９、３９    記憶装置（記録媒体）
ＢＡＳＥ      親機（電話機）
ＨＳｋ        子機（電話機）
Ｌ１、Ｌ２    公衆回線
【図１】
2005244875.tif 000003
【図２】
2005244875.tif 000004
【図３】
2005244875.tif 000005